(57)【要約】【課題】周波数拡散を施したクロックで動作する画像読取装置において、読取画像のライン毎のレベル変動を低減する。【解決手段】発振器29の出力はＳＳＣＧ30によって周波数変調された周波数拡散クロック信号とされ、第１のＰＬＬ回路31で逓倍され、タイミング生成回路32に入力される。タイミング生成回路32では、多相クロック生成部44において８位相の多相クロックを生成し、その１相のカウント値を基に、ＣＣＤの露光期間を決めるシフト信号、及び原稿露光用のＬＥＤランプを点灯させるＬＥＤ点灯信号を生成する。第２のＰＬＬ回路45ではループフィルタ45ａの定数の設定によって帯域を低くし、ＳＳＣＧ30の周波数変調成分を減衰させる。【選択図】図３
2014042122.tif 000002
【特許請求の範囲】
【請求項１】
読取対象の画像を露光するための光源と、前記読取対象からの反射光を光電変換して画像を読み取る光電変換素子と、周波数拡散クロック発生手段と、前記周波数拡散クロック発生手段で発生されたクロックの周波数変調成分を減衰させる減衰手段と、前記減衰手段の出力を基に前記光電変換素子の露光期間を決定する信号を生成する手段と、を備える画像読取装置。
【請求項２】
請求項１に記載された画像読取装置において、
前記光電変換素子はＣＣＤであり、前記光電変換素子の露光期間を決定する信号は、前記ＣＣＤに供給されるシフト信号である画像読取装置。
【請求項３】
請求項１に記載された画像読取装置において、
前記減衰手段の出力を基に前記光源を点灯させる期間を決定する信号を生成する手段を有する画像読取装置。
【請求項４】
請求項１に記載された画像読取装置において、
前記露光期間を決定する信号を生成する手段は、前記減衰手段から出力されるクロックのカウント値に基づいて当該信号を生成する画像読取装置。
【請求項５】
請求項１に記載された画像読取装置において、
前記周波数拡散クロックの変調周波数又は変調度に応じて、前記減衰手段の減衰量を調整する手段を有する画像読取装置。
【請求項６】
請求項１〜５のいずれかに記載された画像読取装置を備えた画像形成装置。
【発明の詳細な説明】
【技術分野】
【０００１】
本発明は、画像読取装置、及びそれを備えたデジタル複写機、ファクシミリ、デジタル複合機等の画像形成装置に関する。
【背景技術】
【０００２】
高画質化、高速化の要求に伴い、画像読取装置は近年、高画素密度化、高速化の傾向にある。従来のデジタル複写機における画像の読取からデジタル画像信号にするまでの信号処理は例えば以下のように行われる。
【０００３】
図８は従来の画像読取装置における光電変換からアナログ信号処理までを行う部分のブロック図である。図示のように、発振器（水晶発振器）501からのクロック信号はＳＳＣＧ（Spread Spectrum Clock Generator：スペクトラム拡散クロック発生器）502によって周波数変調（周波数拡散）されたクロック信号となり、ＰＬＬ回路503で逓倍されてタイミング生成回路504でＣＣＤ駆動信号及び信号処理ＩＣ駆動信号が生成される。
【０００４】
原稿からの反射光は、信号発生器513内のタイミング生成回路504からの周波数変調されたクロックにより駆動されたＣＣＤ505により電気信号に変換されてアナログ画像信号とされる。このアナログ画像信号はエミッタフォロワ（ＥＦ）回路506及びＡＣ結合コンデンサ507を介して信号処理ＩＣ508へ送出される。
【０００５】
信号処理ＩＣ508は、クランプ回路509、サンプルホールド（S/H）回路510、プログラマブルゲインアンプ（PGA）511、及びＡＤコンバータ（ADC）512から構成されている。信号処理ＩＣ508に入力されたアナログ画像信号は、クランプ回路509で内部基準電位にクランプされ、サンプルホールド回路510で信号処理ＩＣ駆動信号の１つであるサンプルパルスによりサンプリングされてレベル保持されることによって連続的なアナログ画像信号にされた後、プログラマブルゲインアンプ511にて所定の増幅率で増幅された後、ＡＤコンバータ512で多ビット（図示は１０ビット）のデジタルデータに変換される。
【０００６】
一般的に画素密度が高くなるほど、また、画像の読取スピードが速くなるほど、画像を読み取るＣＣＤ505や、その後段でＣＣＤ505が出力するアナログ画像信号に各種信号処理を施す信号処理ＩＣ508を駆動するクロック周波数が高くなってしまい、それに伴い電磁波の不要輻射が多くなる。
【０００７】
そこで、このような問題を解決するため、クロック周波数を生成するために用いる発振器501の後段に周波数変調をする部品であるＳＳＣＧ502を設けて（発振器内部に周波数拡散機能を有する場合もある）、周波数のピーク部分の不要輻射強度を軽減している。
【０００８】
図９はＳＳＣＧの機能を説明するための図である。図のＳ１に示すようなスペクトル特性のクロック周波数は、ＳＳＣＧにより周波数変調されてクロックが周波数拡散されることによって、Ｓ２に示すようなスペクトル特性となるので、不要輻射強度をＳ１に比べて小さくすること（放射ノイズレベルの低減）が可能である。
【０００９】
しかし、前記従来の画像読取装置の回路構成において、ＣＣＤ505、信号処理ＩＣ508などのアナログＩＣのタイミング生成に周波数拡散クロックを使用すると、その影響が画像信号出力に現れてしまうという問題がある。その問題の一つは、ＣＣＤ出力波形のオフセット電圧レベルがクロックの周波数変調に同期して変化することが原因で、同一濃度のレベルの画像を読み取った場合でも画像信号のレベルが１主走査ライン中で周期的に変動し、レベルの高低が発生してしまうことである。
【００１０】
この問題を解決する技術として、特許文献１には、ＰＬＬのループフィルタ回路部より、クロックの周波数変調に同期した電圧信号を取り出し、その電圧信号(アナログ)をクロックの周波数変調に同期したノイズが重畳しているＣＣＤからのアナログ出力に逆相で印加することによって、ノイズを除去することが記載されている。
【００１１】
しかしながら、周波数拡散クロックを使用することによる副作用はそれだけではない。即ち、１主走査ライン毎のＣＣＤの露光期間（電荷の蓄積期間）がクロックの周波数変調の影響を受けて毎ライン変動することにより、暗時の(ＣＣＤに光が入らないときの)暗電流による出力が毎ライン変化してしまい、その影響で黒いベタのある原稿をスキャンすると画像に横スジが発生してしまうという問題がある。また、原稿を露光する光源であるランプの点灯時間を決める信号についても、周波数変調のかかった基準クロックから生成すると、各ラインで点灯時間が変動することになり、こちらも読み取った画像に横スジ成分を発生させる原因となる。
【００１２】
これらの問題についてＣＣＤの動作を参照しながら説明する。図１０はＣＣＤの動作原理を示す図である。ＣＣＤは画素の数だけ存在するフォトダイオードアレイに原稿の反射光を入射させ、電荷を蓄積する。１主走査ライン毎の露光時間(電荷の蓄積時間)はシフト信号により決まる。つまり、シフト信号周期＝露光時間となる。シフト信号が”Ｌ”になる期間でフォトダイオードアレイに蓄積された電荷を併設されているアナログシフトレジスタに移す。アナログシフトレジスタに移された電荷は転送クロックφ１、φ2によりアナログシフトレジスタ上を転送されていく。転送された電荷は出力段で電荷/電圧変換される。１画素毎に前回の画素の電荷がリセットパルスによりクリアされる。電圧に変換された出力はクランプパルスのタイミングに同期して１画素毎にオフセット電圧レベルが決定されて外部へ出力される。
【００１３】
また、原稿を露光するＬＥＤランプについてはＬＥＤ光源点灯信号により点灯期間が制御され、ＬＥＤ光源点灯信号が“Ｈ”の期間のみランプが点灯する。ＬＥＤランプについては用途(センサの飽和防止等)により点灯信号により制御されるが、必要がなければ、原稿読取中は常にオンさせておいても構わない。
【００１４】
図１１にＣＣＤ駆動信号を生成する従来のタイミング生成回路504の構成を示す。前述したように、タイミング生成回路504の入力側には、発振器501、ＳＳＣＧ502、及びＰＬＬ回路503が接続されている。
【００１５】
ＰＬＬ回路503の出力がタイミング生成回路504に入力され、多相クロック生成部515において８位相のクロックが生成される。つまりＰＬＬ回路503でマスタークロックとして必要な周波数の８倍の周波数のクロックを生成し、多相クロック生成部515で８位相のクロックとしている。
【００１６】
そして、８位相のクロックのうちの1本をマスタークロックとしてカウンタ516へ入力し、カウント値がコンパレータ517に設定されている所要の露光期間の設定値に達したら、その出力によりカウンタ516をリセットすることによりシフト信号を生成する。同様にカウンタ516のカウント値が、コンパレータ518に設定されているランプ点灯タイミング、コンパレータ518に設定されているランプ消灯タイミングの設定値を超えたときに、それぞれの出力をＯＲ回路520に入力し、１シフト信号周期内の光源点灯消灯タイミングを決めて、ＬＥＤ光源点灯信号を生成する。上記"露光期間"及び“光源点灯/消灯タイミング”は予め外部のＣＰＵからＣＰＵＩ／Ｆを介した通信によりレジスタ514に設定される。
【００１７】
その他のＣＣＤ駆動信号である転送クロックφ１、φ2、及びリセットパルスＲＳ、並びに信号処理ＩＣ508内のクランプ回路509に供給するクランプパルスＣＰは、多相クロック生成部515の８相の出力の中から、立ち上がりエッジ/立ち下がりエッジとして出力したい位相をセレクタ521〜524で選択し、φ１生成ブロック525、φ2生成ブロック526、ＲＳ生成ブロック527、及びＣＰ生成ブロック528が任意の位相のクロック信号を生成する。
【００１８】
このように、周波数変調のかかったマスタークロックをカウントすることによりシフト信号の周期や光源の点灯期間を決めている。ここで、問題となるのは、周波数変調の変調周期とシフト信号の周期は非同期であることに起因して、シフト信号の周期が周波数変調の影響で変動することである。
【００１９】
図１２はマスタークロック周波数の周期的変化とクロックのカウント数との関係を示す図である。ここで、図１２Ａはシフト信号の周期が短くなる場合を示し、図１２Ｂはシフト信号の周期が長くなる場合を示す。コンパレータ517における露光期間の設定値を８０００クロックとすると、図１２Ａに示すように、８０００クロックの内、中心周波数より高い周波数の割合が大きい場合、シフト信号の周期が短くなり、図１２Ｂに示すように、８０００クロックの内、中心周波数より低い周波数の割合が大きい場合、シフト信号の周期が長くなる。
【００２０】
ＣＣＤでは照射される光量と無関係に暗電流が発生し、出力に加わった形で発生するが、暗電流はＣＣＤの蓄積時間(露光時間)に比例する。つまり周波数変調の影響でシフト信号の周期が変動するということは暗電流による出力が変動することになり、ライン毎にレベル変動が発生することを意味する。
【００２１】
この現象は白レベル(ＣＣＤに多くの光が照射された状態)より黒レベルの方がＣＣＤ出力に暗電流の占める割合が大きくなるので、影響が出やすく、黒いベタ原稿を読み取った画像でライン方向のレベル変動が横スジとなって現れることが考えられる。ランプの点灯期間についても同様で、こちらもライン毎に周波数変調の影響で点灯時間が変動すると、読み取った画像のライン毎の変動となって現れることが考えられる。
【００２２】
特許文献２には、周波数変調の影響を受けやすいアナログ系の信号(ＣＣＤ駆動信号、ＡＦＥ駆動信号)に対しては、周波数変調をかけないようにすることが記載されている。しかし、ＣＣＤ駆動信号に周波数拡散をかけないと、ＣＣＤ駆動は高速なクロックでかつ、高負荷駆動(容量)が必要となるので、クロック振幅も通常５Ｖと大きくなり、ＳＳＣＧによる周波数変調を使わないとＥＭＩ的には厳しいのが現実である。
【発明の概要】
【発明が解決しようとする課題】
【００２３】
本発明はこのような状況に鑑みてなされたものであり、その目的は、周波数拡散を施したクロックで動作する画像読取装置において、読取画像のライン毎のレベル変動を低減することである。
【課題を解決するための手段】
【００２４】
本発明に係る画像読取装置は、読取対象の画像を露光するための光源と、前記読取対象からの反射光を光電変換して画像を読み取る光電変換素子と、周波数拡散クロック発生手段と、前記周波数拡散クロック発生手段で発生されたクロックの周波数変調成分を減衰させる減衰手段と、前記減衰手段の出力を基に前記光電変換素子の露光期間を決定する信号を生成する手段と、を備える画像読取装置である。
【発明の効果】
【００２５】
本発明によれば、周波数拡散を施したクロックで動作する画像読取装置において、読取画像のライン毎のレベル変動を低減することができる。
【図面の簡単な説明】
【００２６】
【図１】本発明の実施形態に係る画像読取装置の構成を示す図である。
【図２】図１におけるセンサボード上の素子及び回路のブロック図である。
【図３】図２におけるタイミング生成回路のブロック図である。
【図４】図３における多相クロック生成部で生成される多相クロックを示す図である。
【図５】図３における第１のＰＬＬ回路の入、出力周波数を示す図である。
【図６】図３における第２のＰＬＬ回路の入、出力周波数を示す図である。
【図７】本発明の実施形態に係る画像形成装置の構成を示す図である。
【図８】従来の画像読取装置における光電変換からアナログ信号処理までを行う部分のブロック図である。
【図９】ＳＳＣＧの機能を説明するための図である。
【図１０】ＣＣＤの動作原理を示す図である。
【図１１】図８におけるタイミング生成回路のブロック図である。
【図１２】図１１に示すタイミング生成回路におけるマスタークロック周波数の周期的変化とクロックのカウント数との関係を示す図である。
【発明を実施するための形態】
【００２７】
以下、本発明の実施形態について図面を用いて説明する。
〈画像読取装置の構成〉
図１は本発明の実施形態に係る画像読取装置の構成を示す図である。この画像読取装置は、原稿画像を光電変換素子で読み取って、画像信号を生成し、デジタル信号に変換して処理する画像読取装置である。
【００２８】
この画像読取装置は、原稿27を載置するコンタクトガラス14と、原稿露光用のＬＥＤランプ15及び第１反射ミラー16を備える第１キャリッジ19と、第２反射ミラー17及び第３反射ミラー18を備える第２キャリッジ20と、レンズユニット21と、ＣＣＤリニアイメージセンサ22(以下、ＣＣＤ)と、ＣＣＤ22及びその駆動回路などを搭載したセンサボード23と、信号ケーブル24によりセンサボード23と接続された画像処理部25と、読取光学系等による各種の歪みを補正するための白基準板28を備えている。
【００２９】
原稿読取時は、第１キャリッジ19及び第２キャリッジ20はステッピングモータ（図示せず）によって副走査方向Ａに移動するとともに、ＬＥＤランプ15を点灯させて原稿27を露光する。原稿27からの反射光は、第１〜第３反射ミラー16〜18で反射し、レンズユニット21を通ってＣＣＤ22に結像し、電気信号に変換される。この光電変換出力であるアナログ画像信号はセンサボード23上で所定のアナログ信号処理及びデジタル化を受け、画像処理部25でデジタル画像処理を受ける。
【００３０】
〈センサボード上の素子及び回路〉
図２は図１におけるセンサボード23上の素子及び回路、即ちＣＣＤ22及びその出力からデジタル画像信号を得るまでの回路のブロック図を示す。
【００３１】
図示のように、センサボード23上には、ＣＣＤ22、発振器29、ＳＳＣＧ30、ＴＧ（タイミングジェネレータ）34、エミッタフォロワ回路35R,35G,35B、ＡＣ結合コンデンサ36R,36G,36B、及びＡＦＥ（アナログフロントエンド）42が搭載されている。
【００３２】
ＴＧ34は、第１のＰＬＬ回路31、タイミング生成回路32、及びレジスタ33を備えている。タイミング生成回路32で生成されたＬＥＤ光源点灯信号、ＣＣＤ駆動信号、ＡＦＥ駆動信号は、それぞれＬＥＤランプ15、ＣＣＤ22、ＡＦＥ42に供給される。レジスタ33には、ＣＰＵＩ／Ｆを通して外部のＣＰＵからＬＥＤ光源点灯信号の点灯期間の設定値及びＣＣＤの露光時間の設定値が書き込まれる。タイミング生成回路32の構成及び動作の詳細については後述する。
【００３３】
まずＣＣＤ22からCCD駆動信号に同期してR(Red),G(Green),B(Blue)のアナログ画像信号が出力され、エミッタフォロワ回路35R,35G,35B、及びＡＣ結合コンデンサ36R,36G,36Bを通して、ＡＦＥ42に交流結合される。
【００３４】
交流結合後のオフセット電位は、クランプ回路37R,37G,37Bにより直流再生される。その後サンプルホールド回路38R,38G,38BにおいてＡＦＥ駆動信号の内のサンプルホールドパルスＳＨに応じて画像信号の電圧レベルがサンプルホールドされ、画像信号(アナログ信号）レベルが連続した(ＣＣＤ22のリセットノイズ等を除去した)画像信号に変換される。ＣＣＤ出力のオフセットレベル(無光状態での画像信号レベル)に対して、黒オフセット補正回路(不図示)にて適正なアナログオフセットが印加され、画像信号の負側の飽和が防止される。
【００３５】
その後画像信号の電圧レベルが所定のレベルになるようにプログラマブルゲインアンプ39R,39G,39Bにて増幅し、ＡＦＥ駆動信号の内のＡＤ変換タイミングパルスＡＤのタイミングでＡＤコンバータ40R,40G,40Bによって１０ビットのデジタル画像データに変換する。
【００３６】
ここで、クランプ回路37R,37G,37B、サンプルホールド回路38R,38G,38B、黒オフセット補正回路、プログラマブルゲインアンプ39R,39G,39B、ＡＤコンバータ40R,40G,40BはＡＦＥ42として集積化(ＩＣ化)されている。
【００３７】
こうして得られた１０ビットの画像データはＩ／Ｆ（インタフェース）部43を介して後段の画像処理部25(図１)に伝送され、そこで白基準板28の反射光をＣＣＤ22で読み取った画像データでＣＣＤ22の感度バラツキや照射系の配光ムラが補正(シェーディング補正)され、さらにはγ補正などのデジタル処理がなされる。
【００３８】
発振器29の出力はＳＳＣＧ回路30によって周波数変調された周波数拡散クロック信号としてＴＧ34に入力され、第１のＰＬＬ回路31で逓倍され、タイミング生成回路32でＣＣＤ駆動信号及びＡＦＥ駆動信号が生成される。各クロックはパルス幅、位相が調整可能となっている。第１のＰＬＬ回路31及びタイミング生成回路32の詳細な動作の設定はレジスタ33にＣＰＵＩ／Ｆを介して設定することで実現する。
【００３９】
〈タイミング生成回路の構成及び動作〉
図３は図２におけるタイミング生成回路32のブロック図である。
前述したように、ＳＳＣＧ30は発振器29の出力を受けて、周波数変調のかかったクロックを生成する。それを後段の第１のＰＬＬ回路31へ入力し、任意のクロック周波数に逓倍し、多相クロック生成部44において８位相の多相クロックを生成する。
【００４０】
図４に多相クロックを示す。図示のように、第１のＰＬＬ回路31では画素周波数として必要な周波数の８倍の周波数のクロックを生成し（ＰＬＬ生成クロック）、多相クロック生成部44で８位相のクロックとして多相クロック１〜８を生成している。
【００４１】
８位相の多相クロックの内の多相クロック１を逓倍率１倍の第２のＰＬＬ回路45を通してカウント用クロックとし、カウンタ46に入力する。カウント値がコンパレータ47に設定されている所要の露光期間の設定値に達したら、その出力によりカウンタ46をリセットすることによりシフト信号を生成する。同様にカウンタ46のカウント値が、コンパレータ48に設定されているランプ点灯タイミング、コンパレータ49に設定されているランプ消灯タイミングの設定値を超えたときに、それぞれの出力をＯＲ回路50に入力し、１シフト信号周期内の光源点灯消灯タイミングを決めて、ＬＥＤ光源点灯信号を生成する。上記"露光期間"及び“光源点灯/消灯タイミング”は予め外部のＣＰＵからＣＰＵＩ／Ｆを介した通信によりレジスタ33に設定される。
【００４２】
その他のＣＣＤ駆動信号である転送クロックφ１、φ2、及びリセットパルスＲＳ、並びにＡＦＥ駆動信号であるクランプパルスＣＰ、サンプルホールドパルスＳＨ、及びＡＤ変換タイミングパルスＡＤは、多相クロック生成部44の８相の出力の中から、立ち上がりエッジ/立ち下がりエッジとして出力したい位相をセレクタ51〜56で選択し、φ１生成ブロック57、φ2生成ブロック58、ＲＳ生成ブロック59、ＣＰ生成ブロック60、ＳＨ生成ブロック61、ＡＤ生成ブロック62が任意の位相のクロック信号を生成する。
【００４３】
さらに、タイミング生成回路32における第２のＰＬＬ回路45ではコンデンサと抵抗で形成されるループフィルタ45ａの定数の設定によって帯域を低くしており、通常３０ｋＨｚ程度のＳＳＣＧ30の周波数変調成分を減衰させる特性となっている。一方、第１のＰＬＬ回路31はループフィルタ31aの定数の設定により帯域を高くしており、ＳＳＣＧ30の周波数変調成分が減衰することなく出力するようになっている。図５は第１のＰＬＬ回路31の入、出力周波数を示す図であり、図６は第２のＰＬＬ回路45の入、出力周波数を示す図である。
【００４４】
ここで、コンデンサと抵抗で形成されるループフィルタについてはＴＧ34内で集積化されておらず、外付けにすることによって、ＳＳＣＧ30の変調周波数に対し、定数変更による対応を可能としている。
【００４５】
本発明の実施形態に係る画像読取装置によれば、タイミング生成回路32における第２のＰＬＬ回路45は、ループフィルタ45ａの定数の設定によって、ＳＳＣＧ30の周波数変調成分を減衰させる特性を持つので、第２のＰＬＬ回路45の出力であるカウンタ用クロックのカウント値を基に生成されるシフト信号及びＬＥＤ点灯信号の生成タイミングの変動を押さえることができる。そのため、読取画像のライン毎のレベル変動を低減することができる。
【００４６】
〈画像形成装置の構成〉
図７は本発明の実施形態に係る画像形成装置の構成を示す図である。この画像形成装置300は、図１に示した画像読取装置と同様な構成を持つ画像読取装置100を搭載したデジタル複写機である。即ち、画像読取装置100は、原稿を載置するコンタクトガラス101と、原稿露光用のＬＥＤランプ102及び第１反射ミラー103を備える第１キャリッジ106と、第２反射ミラー104及び第３反射ミラー105を備える第２キャリッジ107と、レンズユニット108と、ＣＣＤ109と、読取光学系等による各種の歪みを補正するための白基準板110を備えている。
【００４７】
この画像形成装置300は、コンタクトガラス101の上部にＡＤＦ400が設けられており、図示しないヒンジ等を介してＡＤＦ400をコンタクトガラス101に連結することで、ＡＤＦ400をコンタクトガラス101に対して開閉可能にしている。
【００４８】
ＡＤＦ400は、複数の原稿からなる原稿束を載置可能な原稿載置台としての原稿トレイ401を備えている。また、図示しない操作部上のプリントキーの押下により、原稿トレイ401に画像面を上にして載置された原稿束から原稿を１枚ずつ分離して自動給送し、シートスルー読取用スリット111又はコンタクトガラス101へ向けて搬送する給送ローラ402及び搬送ベルト403を含む分離・給送手段も備えている。給送ローラ402又は搬送ベルト403によって給送された原稿は、画像読取が行われた後、搬送ベルト403及び排送ローラ404によってＡＤＦ400の上面に排出される。
【００４９】
ここで、ＡＤＦ400によって原稿をコンタクトガラス101の読取位置に搬送する場合の図示しないコントローラ及びＡＤＦ400の動作について説明する。
ＡＤＦ400の給送モータはコントローラからの出力信号によって駆動されるようになっており、コントローラは、操作部上のプリントキーの押下によって発生した給送スタート信号が入力されると、給送モータを正・逆転駆動するようになっている。給送モータが正転駆動されると、給送ローラ402が時計方向に回転して原稿束から最上位に位置する原稿が自動給送され、シートスルー読取用スリット111又はコンタクトガラス101へ向けて搬送される。
【００５０】
この原稿の先端が原稿セット検知センサ405によって検知されると、コントローラは原稿セット検知センサ405からの出力信号に基づいて給送モータを逆転駆動させる。これにより、後続する原稿が進入するのを防止して分離されないようになっている。
【００５１】
コントローラはまた、原稿セット検知センサ405が原稿の後端を検知したとき、この検知時点からの図示しない搬送ベルトモータの回転パルスを計数し、回転パルスが所定値に達したときに、搬送ベルト403の駆動を停止させて搬送ベルト403を停止させることにより、原稿をコンタクトガラス101上の読取位置に停止させる。
【００５２】
更に、原稿セット検知センサ405によって原稿の後端が検知された時点で、給送モータを再び駆動して、後続する原稿を上述したように分離して自動給送させる。そして、コンタクトガラス101に向けて搬送し、この原稿が原稿セット検知センサ405によって検知された時点からの給送モータのパルスが所定パルスに到達したときに、給送モータを停止させて次の原稿を先出し待機させる。
【００５３】
そして、原稿がコンタクトガラス101上の読取位置に停止したとき、原稿の画像読み取りが行なわれる。この画像読み取りが終了すると、その旨を示す信号がコントローラに入力されるため、コントローラは、この信号により、搬送ベルトモータを正転駆動して、搬送ベルト403によって原稿をコンタクトガラス101から排送ローラ404へ向けて搬出させる。
【００５４】
このように、ＡＤＦ400にある原稿トレイ401に原稿の画像面を上にして置かれた原稿束は、プリントキーの押下によって一番上の原稿から自動給送され、例えばコンタクトガラス１０１上の読取位置に搬送される。
【００５５】
その読取位置に搬送されて停止した原稿は、画像の読取後、搬送ベルト403等によって排出口から排出される。更に、原稿トレイ401に次の原稿が有ることが検知された場合、前の原稿と同様に次の原稿が自動給送され、コンタクトガラス101上に搬送される。
【００５６】
給紙トレイである第１トレイ301、第２トレイ302、第３トレイ303に積載された転写紙（用紙）は、各々第１給紙ユニット311、第２給紙ユニット312、第３給紙ユニット313によって給紙され、縦搬送ユニット314によって像担持体であるドラム状の感光体（感光体ドラム）315に当接する位置まで搬送される。なお、実際には各トレイ301〜303のうちのいずれか１つが選択され、そこから転写紙が給紙される。また、転写紙以外の記録媒体を使用することもできる。
【００５７】
一方、画像読取装置100によって読み取られた画像データは、画像形成手段であるプリンタ内の書き込みユニット350からのレーザ光により、図示しない帯電ユニットにより予め帯電された感光体315の表面に書き込まれる。書き込みにより露光された部分は現像ユニット327を通過することにより、トナー画像が形成される。その作像を行う現像ユニット327及び帯電ユニット等が作像手段を構成する。
【００５８】
選択された給紙トレイから給紙された転写紙は、感光体315の回転と等速で搬送ベルト316によって搬送されながら、感光体315上のトナー画像が転写される。更に、定着ユニット317にてトナー画像を定着され、排紙ユニット318によって機外の排紙トレイ319に排紙される。
【００５９】
このとき、例えばフェースダウン（転写紙をページ順に揃えるため画像面を下向きにする）排紙のために、一方の面にトナー画像が形成された転写紙を反転したい場合、その転写紙は排紙ユニット318により両面入紙搬送路320に搬送され、反転ユニット321でスイッチバック反転された後、反転排紙搬送路322を通って排紙トレイ319に排出される。
【００６０】
また、転写紙の両面に画像を形成する場合には、一方の面に画像が形成された転写紙は排紙ユニット318により両面入紙搬送路320に搬送され、反転ユニット321でスイッチバック反転された後、両面搬送ユニット323に送られる。両面搬送ユニット323に送られた転写紙は、再び感光体315に作像されたトナー画像を転写するために、両面搬送ユニット323から再給紙され、再度縦搬送ユニット314によって感光体315に当接する位置まで搬送される。そして、他方の面にトナー画像が転写された後、定着ユニット317によってトナー画像が定着され、排紙ユニット318によって排紙トレイ319に排出される。
【００６１】
感光体315、搬送ベルト316、定着ユニット317、排紙ユニット318、及び現像ユニット327は図示しないメインモータによって駆動され、各給紙ユニット311〜313はメインモータの駆動力が各々給紙クラッチによって伝達されて駆動される。縦搬送ユニット314は、そのメインモータの駆動力が中間クラッチを介して伝達されて駆動される。
【００６２】
書き込みユニット350は、レーザ出力ユニット351、結像レンズ352、ミラー353で構成され、レーザ出力ユニット351の内部には、レーザ光源であるレーザダイオードと、レーザ光を走査する回転多面鏡（ポリゴンミラー）又は振動ミラーを備えている。レーザ出力ユニット351より照射されるレーザ光は、ポリゴンミラー又は振動ミラーで偏向され、結像レンズ352を通り、ミラー353で折り返されて感光体315の表面上に集光結像する。
【００６３】
本発明の実施形態の画像形成装置によれば、本発明の実施形態の画像読取装置を備え、その画像読取装置によって読み取った画像データに基づいて記録媒体上に画像形成を行うことにより、形成画像のライン変動(横スジ)を回避することができる。つまり、形成画像の高画質化を実現することができる。
【符号の説明】
【００６４】
15…ＬＥＤランプ、22…ＣＣＤ、29…発振器、30…ＳＳＣＧ、32…タイミング生成回路、44…多相クロック生成部、45…第２のＰＬＬ回路、45a…ループフィルタ、46…カウンタ、47〜49…コンパレータ、100…画像読取装置。
【先行技術文献】
【特許文献】
【００６５】
【特許文献１】特開２００８−１１８３６６号公報
【特許文献２】特開２００１−９４７３４号公報
【図１】
2014042122.tif 000003
【図２】
2014042122.tif 000004
【図３】
2014042122.tif 000005
【図４】
2014042122.tif 000006
【図５】
2014042122.tif 000007
【図６】
2014042122.tif 000008
【図７】
2014042122.tif 000009
【図８】
2014042122.tif 000010
【図９】
2014042122.tif 000011
【図１０】
2014042122.tif 000012
【図１１】
2014042122.tif 000013
【図１２】
2014042122.tif 000014